【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
第１および第２の印刷役割を含む印刷ジョブを複数プリンタ印刷システム内に受信するステップを備え、
前記印刷システムの第１のプリンタに前記第１の印刷役割を割り当てるステップを備え、
前記印刷システムの第２のプリンタに前記第２の印刷役割を割り当てるステップを備え、
前記第１のプリンタを使用して第１の印刷役割を実行し、前記第２のプリンタを使用して第２の印刷役割を実行するステップを備え、
前記印刷システムの第１のプリンタの第１のプリンタストレス状態を決定するステップを備え、前記第１のプリンタストレス状態を決定する前記ステップが、第１のプリンタのトナー年齢と、第１のプリンタのトナー濃度と、第１のプリンタの領域被覆率と、第１のプリンタのストリークと、第１のプリンタの現像電界と、第１のプリンタのレーザ出力と、第１のプリンタの帯電レベルと、のうちの少なくとも２つを含む複数の第１のプリンタ・ストレス・パラメータに関連するデータを含む第１のプリンタ・ストレス・データを前記第１のプリンタから受信するステップを含み、
前記印刷システムの第２のプリンタの第２のプリンタストレス状態を決定するステップを備え、前記第２のプリンタストレス状態を決定する前記ステップが、第２のプリンタのトナー年齢と、第２のプリンタのトナー濃度と、第２のプリンタの領域被覆率と、第２のプリンタのストリークと、第２のプリンタの現像電界と、第２のプリンタのレーザ出力と、第２のプリンタの帯電レベルと、のうちの少なくとも２つを含む複数の第２のプリンタ・ストレス・パラメータに関連するデータを含む第２のプリンタ・ストレス・データを前記第２のプリンタから受信するステップを含み、
前記第１のプリンタストレス状態と前記第２のプリンタストレス状態とを比較するステップを備え、前記第１のプリンタストレス状態と前記第２のプリンタストレス状態とを比較する前記ステップが、
（i）前記対応する第１および第２のプリンタ・ストレス・パラメータの各々の間の差を計算するステップと、
（ii）前記差の各々と、対応する選択プリンタパラメータ閾値とを比較するステップと、
（iii）前記差のうちの少なくとも１つがその対応する選択プリンタパラメータ閾値を超えているとき、前記第１のプリンタストレス状態が前記第２のプリンタストレス状態と異なると判断するステップと、を含み、
前記第１のプリンタストレス状態が前記第２のプリンタストレス状態と異なるとき、前記第２のプリンタに前記印刷ジョブの第１の印刷役割を再割り当てして、前記第１のプリンタに前記印刷ジョブの第２の印刷役割を再割り当てするステップを備え、
前記第２のプリンタに前記印刷ジョブの第１の印刷役割を再割り当てして、前記第１のプリンタに前記印刷ジョブの第２の印刷役割を再割り当てする前記ステップが、
前記印刷ジョブの第１の印刷役割を規定する印刷データを前記第２のプリンタに送信して、前記第２のプリンタを使用して前記第１の印刷役割を規定するデータを印刷するステップと、
前記印刷ジョブの第２の印刷役割を規定する印刷データを前記第１のプリンタに送信して、前記第１のプリンタを使用して前記第２の印刷役割を規定するデータを印刷するステップと、を含む、
複数プリンタ印刷システム内のプリンタ安定性を向上させる方法。
【請求項２】
前記第２のプリンタに前記第１の印刷役割を再割り当てして、前記第１のプリンタに前記第２の印刷役割を再割り当てする前記ステップが、
前記第１のプリンタと前記第２のプリンタの間の用紙搬送路を、前記第１のプリンタが紙シートの第１の面上に印刷し、前記第２のプリンタが前記紙シートの第２の面上に印刷する第１の状態から、前記第１のプリンタが前記紙シートの第２の面上に印刷し、前記第２のプリンタが前記紙シートの第１の面上に印刷する第２の状態に変化させるステップをさらに含む、
請求項１に記載のプリンタ安定性を向上させる方法。
【請求項３】
前記第１のプリンタ・ストレス・データが、第１のプリンタのトナー年齢と、第１のプリンタのトナー濃度と、第１のプリンタの領域被覆率と、第１のプリンタのストリークと、第１のプリンタの現像電界と、第１のプリンタのレーザ出力と、第１のプリンタの帯電レベルと、のそれぞれを含む前記第１のプリンタ・ストレス・パラメータに関連する、請求項１に記載のプリンタ安定性を向上させる方法。
【請求項４】
前記第２のプリンタ・ストレス・データが、第２のプリンタのトナー年齢と、第２のプリンタのトナー濃度と、第２のプリンタの領域被覆率と、第２のプリンタのストリークと、第２のプリンタの現像電界と、第２のプリンタのレーザ出力と、第２のプリンタの帯電レベルと、のそれぞれを含む前記第２のプリンタ・ストレス・パラメータに関連する、請求項３に記載のプリンタ安定性を向上させる方法。
【請求項５】
印刷システム内の、 印刷ジョブの第１の印刷役割を割り当てられた第１のプリンタの第１のプリンタストレス状態を決定する手段を備え、前記第１のプリンタストレス状態を決定する前記手段が、第１のプリンタのトナー年齢と、第１のプリンタのトナー濃度と、第１のプリンタの領域被覆率と、第１のプリンタのストリークと、第１のプリンタの現像電界と、第１のプリンタのレーザ出力と、第１のプリンタの帯電レベルと、のうちの少なくとも２つを含む複数の第１のプリンタ・ストレス・パラメータに関連するデータを含む第１のプリンタ・ストレス・データを前記第１のプリンタから受信する手段を含み、
前記印刷システム内の、前記第１の印刷役割とは異なる前記印刷ジョブの第２の印刷役割を割り当てられた第２のプリンタの第２のプリンタストレス状態を決定する手段を備え、
前記第１のプリンタストレス状態と前記第２のプリンタストレス状態とを比較する手段を備え、前記第１のプリンタストレス状態と前記第２のプリンタストレス状態とを比較する前記手段が、
（i）前記対応する第１および第２のプリンタ・ストレス・パラメータの各々の間の差を計算する手段と、
（ii）前記差の各々と、対応する選択プリンタパラメータ閾値とを比較する手段と、
（iii）前記差のうちの少なくとも１つがその対応する選択プリンタパラメータ閾値を超えているとき、前記第１のプリンタストレス状態が前記第２のプリンタストレス状態と異なると判断する手段と、を含み、
前記第１のプリンタストレス状態が前記第２のプリンタストレス状態と異なるとき、前記第２のプリンタに前記印刷ジョブの第１の印刷役割を再割り当てして、前記第１のプリンタに前記印刷ジョブの第２の印刷役割を再割り当てする手段を備え、
前記第２のプリンタに前記印刷ジョブの第１の印刷役割を再割り当てして、前記第１のプリンタに前記印刷ジョブの第２の印刷役割を再割り当てする前記手段が、
前記印刷ジョブの第１の印刷役割を規定する印刷データを前記第２のプリンタに送信する手段と、
前記印刷ジョブの第２の印刷役割を規定する第２の印刷データを前記第１のプリンタに送信する手段と、を含む、
複数プリンタ印刷システム内のプリンタ安定性を向上させるシステム。
【請求項６】
前記第２のプリンタに前記第１の印刷役割を再割り当てして、前記第１のプリンタに前記第２の印刷役割を再割り当てする前記手段が、
前記第１のプリンタと前記第２のプリンタの間の用紙搬送路を、前記第１のプリンタが紙シートの第１の面上に印刷し、前記第２のプリンタが前記紙シートの第２の面上に印刷する第１の状態から、前記第１のプリンタが前記紙シートの第２の面上に印刷し、前記第２のプリンタが前記紙シートの第１の面上に印刷する第２の状態に変化させる手段をさらに含む、
請求項５に記載のプリンタ安定性を向上させるシステム。
【請求項７】
前記第１のプリンタ・ストレス・データが、第１のプリンタのトナー年齢と、第１のプリンタのトナー濃度と、第１のプリンタの領域被覆率と、第１のプリンタのストリークと、第１のプリンタの現像電界と、第１のプリンタのレーザ出力と、第１のプリンタの帯電レベルと、のそれぞれを含む前記第１のプリンタ・ストレス・パラメータに関連する、請求項５に記載のプリンタ安定性を向上させるシステム。
【請求項８】
前記第２のプリンタ・ストレス・データが、第２のプリンタのトナー年齢と、第２のプリンタのトナー濃度と、第２のプリンタの領域被覆率と、第２のプリンタのストリークと、第２のプリンタの現像電界と、第２のプリンタのレーザ出力と、第２のプリンタの帯電レベルと、のそれぞれを含む前記第２のプリンタ・ストレス・パラメータに関連する、請求項７に記載のプリンタ安定性を向上させるシステム。